(57)【要約】      （修正有）【課題】カップ一杯分の容量に適した小型の氷を封入することができる氷収納フィルムを簡易な構成で安価に提供する。【解決手段】少なくともヒートシール可能な熱可塑性樹脂で形成された内面フィルムと、内面フィルムに積層される外面フィルムとを有する方形袋状の氷収納フィルム１であって、その中に小型の氷ＩＣが封入されると共に、対向辺１２、１６がヒートシールされ、かつ、対向辺と直交する中央部が合掌部１４として突き合わせ形成され、合掌部と直交する方向に易開封可能なように、外面フィルムは直線カット性の高い樹脂フィルム部材で形成されている。【選択図】図１
0003228730.tif 000002
【実用新案登録請求の範囲】
【請求項１】
少なくともヒートシール可能な熱可塑性樹脂で形成された内面フィルムと、この内面フィルムに積層される外面フィルムとを有する方形袋状の氷収納フィルムであって、
その中に小型の氷が封入されると共に、対向辺がヒートシールされており、かつ、前記対向辺と直交する中央部が合掌部として突き合わせ形成され、前記合掌部と直交する方向に易開封可能なように、前記外面フィルムは直線カット性の高い樹脂フィルム部材で形成されていることを特徴とする氷収納フィルム。
【考案の詳細な説明】
【技術分野】
【０００１】
本考案は、氷を収納する積層フィルムに関するものであり、特に、カップ一杯分の小型の氷を収納する氷収納フィルムに関するものである。
【背景技術】
【０００２】
従来、コーヒー飲料等の容器としては、プラスチック製カップが広く使われている。しかし、昨今の海洋プラスチック問題等に伴うプラスチックゴミの削減といった社会的要請に基づき、プラスチック製カップの紙容器化が図られている。
【０００３】
例えば、オフィス向けのコーヒーサーバー用として、容器を紙カップに変更して環境負荷の低減が試みられている。そして、このように容器を紙カップに変更した場合には、例えば、アイスコーヒーを作る際に、環境負荷を総合的に軽減するためにも、ワンカップ分（カップ一杯分）の使い切りの氷が求められてきている。
【考案の概要】
【考案が解決しようとする課題】
【０００４】
しがしながら、従来の、ロックアイス（登録商標）では大き過ぎ、また、コンビニエンスストアのサービスとしてかかる使い切り氷を提供するのでは手間がかかり過ぎるといった問題が生じていた。
【０００５】
本考案は、上述のような従来技術の問題点に鑑みてなされたものであり、カップ一杯分の容量に適した小型の氷を封入することができる氷収納フィルムを簡易な構成で安価に提供することを目的とする。
【課題を解決するための手段】
【０００６】
上記目的を達成するために、本考案に係る氷収納フィルムは、少なくともヒートシール可能な熱可塑性樹脂で形成された内面フィルムと、この内面フィルムに積層される外面フィルムとを有する方形袋状の氷収納フィルムであって、その中に小型の氷が封入されると共に、対向辺がヒートシールされており、かつ、前記対向辺と直交する中央部が合掌部として突き合わせ形成され、前記合掌部と直交する方向に易開封可能なように、前記外面フィルムは直線カット性の高い樹脂フィルム部材で形成されていることを特徴とするものである。
【０００７】
ここで、直線カット性の高い樹脂フィルム部材とは、ポリマー分散技術やフィルム延伸技術により、一方向への直線カット性能を有するフィルム部材をいうものとする。
【０００８】
このように構成した場合には、合掌部と直交する方向に容易に収納フィルムを開封することができ、かつ、他方向への力に対しては、収納フィルムの開放を妨げるので、使い勝手の良い、氷収納フィルムを実現することができる。
【考案の効果】
【０００９】
本考案によれば、カップ一杯分の容量に適した使い切り氷を収納することができ、かつ、容易に一定方向に開封することができる氷収納フィルムを実現することができる。
【図面の簡単な説明】
【００１０】
【図１】本考案に係る氷収納フィルムの構成を示す模式的斜視図である。
【図２】本考案に係る氷収納フィルムの積層フィルムの構成を示す模式図である。
【図３】本考案に係る氷収納フィルムに氷を収納する状態を示す模式図である。
【考案を実施するための形態】
【００１１】
以下、本考案の一実施の形態について、図１〜図２を参照して説明する。ここで、図１は、氷収納フィルムの構成を示す模式図であり、図２は、氷収納フィルムに氷を封入する手順を説明する模式図である。
【００１２】
本実施の形態に係る氷収納フィルム１は、ポリプロピレンやポリエチレン等の熱可塑性樹脂にて方形袋状に形成されており、カップ一杯分の容量に対応するように、大きさ・形状が予め設定形成された小型氷ＩＣを収納するものである。
【００１３】
具体的には、図１に模式的に示すように、少なくともヒートシール可能な熱可塑性樹脂で形成された内面フィルム１０ａと、この内面フィルム１０ａに積層される外面フィルム１０ｂとを有し、方形状（袋状）の積層フィルム１０の内部に小型の氷ＩＣ（直径約１．５〜２．５ｃｍ）を封入したものである。
【００１４】
氷を封入する前の収納フィルム１ａの状態としては、内面フィルムとしてポリエチレンシート１０ａ、外面フィルムとしてポリプロピレンシート１０ｂが積層形成されており、折り返された積層シート１０の一辺（底辺）１２をヒートシールし、その後、直交する中央部の突き合わせ辺（いわゆる、背貼りであり、以下、合掌部とも称する）１４をヒートシールし、袋状に形成された三方封止体１ａとして形成されている。
【００１５】
具体的には、まず、所定の径（例えば、約３インチ）を有するロール状のポリエチレンシート１０ａと、同径のロール状のポリプロピレンシート１０ｂとを一対に対向配置して、それぞれのシートを繰り出して両者を一体のシート状に接着積層し、ポリエチレンシート１０ａが内側、ポリプロピレンシート１０ｂが外側となるように配置形成された積層シート１０をロール状に形成する。その後、かかる積層シート１０を既存の製袋機に導入し、図１に示すような、一辺が開放された（三方が封止された）袋状の収納フィルム１ａを得る。その後、所定の大きさに形成された小型氷ＩＣを収納フィルム１ａ内に収容し、上辺（開放辺）１６をヒートシールすることにより、小型氷ＩＣが封入された氷収納フィルム１を作成する。
【００１６】
内面フィルム１０ａとしては、ヒートシール性の良い材質であれば差し支えなく、本実施の形態では、ポリエチレンシートを採用している。
【００１７】
一方、外面フィルム１０ｂとしては、直線カット性に優れた（一定の方向に裂け易い）、フィルム部材であることが好ましく、例えば、一軸延伸ポリオレフィン系フィルム、二軸延伸ポリアミド系フィルム、または二軸延伸ポリエステル系フィルム等が挙げられる。なお、本実施の形態では、一軸延伸ポリプロピレンシートを採用している。
【００１８】
これにより、横方向に裂け易く縦方向に裂け難い、開封性が高く（一定の方向への開封が容易）使い勝手の良い氷収納フィルム１を形成することができる。
【００１９】
以上説明したように、本考案に係る氷収納フィルム１によれば、カップ一杯分の容量に適した使い切り氷を収納することができ、かつ、容易に一定方向に開封することができる氷収納フィルムを実現して、環境負荷の低減といった社会的要請に寄与することができる。
【００２０】
なお、本考案の技術的範囲は上述した実施の形態に限定されるものではなく、本考案の要旨に逸脱しない範囲において多様な変更もしくは改良を加え得るものである。例えば、内面フィルム１０ａと外面フィルム１０ｂの間に図示しない任意の中間フィルムを積層形成してもよい。
【符号の説明】
【００２１】
１        氷収納フィルム
１ａ      三方封止体
１０ａ    内面フィルム
１０ｂ    外面フィルム
１２      下辺
１４      合掌部
１６      上辺
ＩＣ      小型氷
【図１】
0003228730.tif 000003
【図２】
0003228730.tif 000004
【図３】
0003228730.tif 000005